(57)【要約】【課題】  簡素な構造で吸収反応により生じた水蒸気の結露による吸収性能の低下を防ぐと同時に、循環ガスに含まれる水蒸気の除去効果も期待でき、しかも、複数のキャニスタを筒軸方向に連結可能なキャニスタの内部構造、キャニスタ及びキャニスタ連結体を提供する。【解決手段】  キャニスタ２０の内部構造４０は、筒状でかつ透明な外筒３０の内側に設けられ、外筒３０と二重管を形成する透明な内筒４１と、内筒４１の下端部に設けられる流入用開口部４５と、内筒４１の内側空間４２に収容され、循環ガスに含まれる二酸化炭素を吸収する二酸化炭素吸収剤４３と、内筒４１の上端部に設けられ、二酸化炭素吸収剤４３を通過した循環ガスを上方に流出させる流出用開口部４６と、内筒４１の上端部に設けられ、外筒３０及び内筒４１の間の環状の隙間部４８と内側空間４２を連通させる連通部４７と、を備える。【選択図】  図２
2015228908.tif 000002
【特許請求の範囲】
【請求項１】
循環式呼吸回路に設けられるキャニスタの内部構造であって、
筒軸方向の両端部が開口した筒状でかつ透明な外筒の内側に設けられ、前記外筒と二重管を形成する透明な内筒と、
前記内筒の下端部に形成される流入用開口部と、
前記内筒の内側空間に収容され、前記流入用開口部を介して下方から前記内側空間に流入した循環ガスに含まれる二酸化炭素を吸収する二酸化炭素吸収剤と、
前記内筒の上端部に形成され、前記二酸化炭素吸収剤を通過した前記循環ガスを上方に流出させる流出用開口部と、
前記内筒の上端部に設けられ、前記外筒及び前記内筒の間の環状の隙間部と前記内側空間を連通させる連通部と、を備え、
前記二酸化炭素吸収剤を通過しかつ水蒸気を含んだ前記循環ガスを、前記連通部を介して前記外筒の内周面に接触させることにより、前記水蒸気を前記外筒の内周面で結露させるとともに前記隙間部に貯留可能としたことを特徴とするキャニスタの内部構造。
【請求項２】
前記流入用開口部には、前記循環ガスが通過可能でかつ前記二酸化炭素吸収剤が通過不能な通気構造が設けられることを特徴とする請求項１に記載のキャニスタの内部構造。
【請求項３】
前記内筒の前記流出用開口部の高さが前記外筒の上端開口部の高さよりも低く設定され、
前記流出用開口部と前記上端開口部の高低差により、前記連通部が設けられることを特徴とする請求項１又は２に記載のキャニスタの内部構造。
【請求項４】
前記連通部が前記内筒の上端部を厚み方向に貫通する貫通部であることを特徴とする請求項１又は２に記載のキャニスタの内部構造。
【請求項５】
前記外筒の内側に着脱可能であり、前記二酸化炭素吸収剤が前記内筒に収容されたカートリッジであることを特徴とする請求項１ないし４のいずれか１項に記載のキャニスタの内部構造。
【請求項６】
前記内筒の下端部の外周面と前記外筒の下端部の内周面との間には、前記循環ガスが下方から前記隙間部に流入することを阻止し、前記循環ガスを前記内側空間に導くシール部材が介在されることを特徴とする請求項５に記載のキャニスタの内部構造。
【請求項７】
循環式呼吸回路に設けられるキャニスタであって、
筒軸方向の両端部が開口した筒状でかつ透明な外筒と、
前記外筒の内部に設けられる請求項１ないし６のいずれか１項に記載のキャニスタの内部構造と、を備えることを特徴とするキャニスタ。
【請求項８】
請求項７に記載のキャニスタを筒軸方向に沿って上下に複数連結可能なキャニスタ連結体であって、
上下に重なり合う２つの前記外筒のうち上段の前記外筒の下端部と下段の前記外筒の上端部とを気密に接続する接合手段を備えることを特徴とするキャニスタ連結体。
【発明の詳細な説明】
【技術分野】
【０００１】
本発明は、キャニスタの内部構造、キャニスタ及びキャニスタ連結体に関する。
【背景技術】
【０００２】
通常、麻酔用循環式呼吸回路では、患者の呼気に含まれる二酸化炭素を吸収し、残った酸素と麻酔ガスを再利用（再び吸気として供給）可能とするため、二酸化炭素吸収剤を収容したキャニスタを回路内に設ける。
【０００３】
キャニスタにおける二酸化炭素吸収反応は、発熱反応を伴うものであるため、キャニスタ内の温度が上昇する。一方、キャニスタの外面は、手術室の室温によって冷却されている。このため、二酸化炭素吸収反応によって生じた水蒸気の一部が冷やされてキャニスタの内面に結露する。この反応水は、キャニスタの内面近傍の二酸化炭素吸収剤に吸収される。二酸化炭素吸収剤が過剰に水分を吸収すると、本来の機能である二酸化炭素吸収能力が低下し、また、二酸化炭素吸収剤の消耗状態を視覚的に表す色変能力（通常、紫系の色に変化する）も低下する。
【０００４】
このような結露を抑制するには、キャニスタの内面と外面の温度差を抑えることが有効である。例えば、特許文献１の図４には、二酸化炭素吸収剤を収容する内側収容体と、この内側収容体を内部に収容する外側収容体とを備えるキャニスタが開示される。このキャニスタによれば、内側収容体の外周部が外側収容体で覆われているので、内側収容体内の二酸化炭素吸収剤の外周側部位が外気によって冷却されることが防止される。
【０００５】
ところで、近年、キャニスタには、交換が容易な単筒のものが増えている。しかし、二酸化炭素吸収剤を無駄なく利用するには、複数のキャニスタをその筒軸方向に連結して使用することが好適である。何故なら、単筒の場合、二酸化炭素吸収剤が一定量消費され残量が少なくなると、一回換気量（成人で５００〜８００ｍｌ程度）中の二酸化炭素を吸収し切れなくなるからである。しかしながら、特許文献１に記載のキャニスタにおいては、有底円筒状の外側収容体を用い、キャニスタの筒軸方向の一側の流入口から流入させた循環ガスの流れを、キャニスタの筒軸方向の他側（外側収容体の底部）で反転させた後、キャニスタの流出口から循環ガス流出させる構造である。このため、循環ガスの流入口と流出口がともにキャニスタの筒軸方向の一側に配置されているので、複数のキャニスタを筒軸方向に連結して使用することは困難である。また、キャニスタの内部構造が複雑であり、底に溜まった二酸化炭素吸収剤の破片の処理が難しい。
【先行技術文献】
【特許文献】
【０００６】
【特許文献１】特開２００６−１９１９７３号公報（図４）
【発明の概要】
【発明が解決しようとする課題】
【０００７】
本発明は、このような事情に鑑みてなされたものであり、その目的は、簡素な構造で吸収反応により生じた水蒸気の結露による吸収性能の低下を防ぐと同時に、循環ガスに含まれる水蒸気の除去効果も期待でき、しかも、複数のキャニスタを筒軸方向に連結可能なキャニスタの内部構造、キャニスタ及びキャニスタ連結体を提供することにある。
【課題を解決するための手段】
【０００８】
本発明は、以下の構成によって把握される。
（１）本発明は、循環式呼吸回路に設けられるキャニスタの内部構造であって、筒軸方向の両端部が開口した筒状でかつ透明な外筒の内側に設けられ、外筒と二重管を形成する透明な内筒と、内筒の下端部に形成される流入用開口部と、内筒の内側空間に収容され、流入用開口部を介して下方から内側空間に流入した循環ガスに含まれる二酸化炭素を吸収する二酸化炭素吸収剤と、内筒の上端部に形成され、二酸化炭素吸収剤を通過した循環ガスを上方に流出させる流出用開口部と、内筒の上端部に設けられ、外筒及び内筒の間の環状の隙間部と内側空間を連通させる連通部と、を備え、二酸化炭素吸収剤を通過しかつ水蒸気を含んだ循環ガスを、連通部を介して外筒の内周面に接触させることにより、水蒸気を外筒の内周面で結露させるとともに隙間部に貯留可能としたことを特徴とする。
【０００９】
（２）本発明は、上記（１）の構成において、流入用開口部には、循環ガスが通過可能でかつ二酸化炭素吸収剤が通過不能な通気構造が設けられることを特徴とする。
【００１０】
（３）本発明は、上記（１）又は（２）の構成において、内筒の流出用開口部の高さが外筒の上端開口部の高さよりも低く設定され、流出用開口部と上端開口部の高低差により、連通部が設けられることを特徴とする。
【００１１】
（４）本発明は、上記（１）又は（２）の構成において、連通部が内筒の上端部を厚み方向に貫通する貫通部であることを特徴とする。
【００１２】
（５）本発明は、上記（１）ないし（４）のいずれかの構成において、外筒の内側に着脱可能であり、二酸化炭素吸収剤が内筒に収容されたカートリッジであることを特徴とする。
【００１３】
（６）本発明は、上記（５）の構成において、内筒の下端部の外周面と外筒の下端部の内周面との間には、循環ガスが下方から隙間部に流入することを阻止し、循環ガスを内側空間に導くシール部材が介在されることを特徴とする。
【００１４】
（７）本発明は、循環式呼吸回路に設けられるキャニスタであって、筒軸方向の両端部が開口した筒状でかつ透明な外筒と、外筒の内部に設けられる上記（１）ないし（６）のいずれか１つのキャニスタの内部構造と、を備えることを特徴とする。
【００１５】
（８）本発明は、上記（７）のキャニスタを筒軸方向に沿って上下に複数連結可能なキャニスタ連結体であって、上下に重なり合う２つの外筒のうち上段の外筒の下端部と下段の外筒の上端部とを気密に接続する接合手段を備えることを特徴とする。
【発明の効果】
【００１６】
本発明によれば、簡素な構造で吸収反応により生じた水蒸気の結露による吸収性能の低下を防ぐと同時に、循環ガスに含まれる水蒸気の除去効果も期待でき、しかも、複数のキャニスタを筒軸方向に連結可能なキャニスタの内部構造、キャニスタ及びキャニスタ連結体を提供することができる。
【図面の簡単な説明】
【００１７】
【図１】本発明の実施形態に係る循環式呼吸回路の模式図である。
【図２】本発明の第１実施形態に係るキャニスタの斜視図である。
【図３】図２のＡ−Ａ線断面図である。
【図４】本発明の第２実施形態に係るキャニスタ連結体の断面図である。
【図５】（ａ）は接合手段の説明図であり図４のＢ部拡大図、（ｂ）は接合手段の第１変形例の説明図、（ｃ）は接合手段の第２変形例の説明図、（ｄ）は接合手段の第３変形例の説明図ある。
【図６】本発明の第２実施形態に係る実験例の結果を示す写真である。
【図７】本発明の第３実施形態に係るキャニスタの斜視図である。
【図８】第３実施形態に係る貫通部の変形例を示す図であり、図３に対応して描いた図である。
【図９】本発明の第４実施形態に係るキャニスタの断面図である。
【図１０】第４実施形態に係るシール部材の第１変形例を示す図であり、図９に対応して描いた図である。
【図１１】第４実施形態に係るシール部材の第２変形例を示す図であり、図９に対応して描いた図である。
【発明を実施するための形態】
【００１８】
以下、添付図面を参照して、本発明を実施するための形態（以下、「実施形態」と称する）について詳細に説明する。実施形態の説明の全体を通して同じ要素には同じ番号を付している。
【００１９】
（循環式呼吸回路１０の構成）
まず、循環式呼吸回路１０の構成を図１に基づいて説明する。
図１に示すように、この循環式呼吸回路１０は、手術の麻酔に用いられる呼吸回路であり、吸気弁１１、患者接続端１２ａを備える人工鼻１２、呼気弁１３、排気部１５及びキャニスタ２０を有する。人工鼻１２は、必要に応じて使用される。吸気弁１１は、人工鼻１２（患者側）への麻酔ガス（吸気）の流れは許容するものの、その逆の流れは規制するように作動する。呼気弁１３は、人工鼻１２（患者側）からの呼気の一部をキャニスタ２０へ導く流れ及び残りの一部を余剰ガスとして排気部１５に導く流れは許容するものの、その逆の流れは規制するように作動する。そして、キャニスタ２０は、患者の呼気から二酸化炭素を吸収除去し、その他の循環ガスを吸気の一部として循環使用する役割を果たす。循環式呼吸回路１０では、新たに追加された新鮮ガス１６に相当する量の呼気が、余剰ガスとして排気部１５から回路外へ排気され、残った呼気がキャニスタ２０を通過して再利用される。
【００２０】
（第１実施形態に係るキャニスタ２０の構成）
次に、キャニスタ２０の構成を図２、図３に基づいて説明する。
図２に示すように、キャニスタ２０は、筒状（ここでは、円筒状）で透明な外筒３０と、この外筒３０の内部に設けられる内部構造４０とを備える。内部構造４０は、筒状（ここでは、円筒状）で透明な内筒４１と、内筒４１の内側空間４２に収容される二酸化炭素吸収剤４３と、を備える。なお、外筒３０及び内筒４１を構成する材料は、透明性を有する材料であれば任意であるが、例えば、ＰＳＦ（ポリサルフォン）やＰＥＴ（ポリエチレンテレフタレート）、アクリル、ＰＣ（ポリカーボネート）などの合成樹脂を用いることができる。
【００２１】
図３に示すように、外筒３０は、筒軸方向を上下方向に向け、かつ、上下方向の両端部が開口した筐体である。外筒３０の下端部には、径方向内向きに突出する円盤状の鍔部３１が形成され、この鍔部３１の内側の縁部に下端開口部３２が設けられる。下端開口部３２は、循環ガスが通過可能でかつ二酸化炭素吸収剤４３が通過不能な通気構造３３によって覆われている。この下端開口部３２は、本発明にいう「内筒の下端部に形成される流入用開口部」に相当する。通気構造３３は、例えば、循環ガスの通過に際し過大な通気抵抗を生じない穴開き構造（パンチング）や網目構造（メッシュ）である。通気構造３３の構成材料は、金属、プラスチックなど各種の材料から任意に選択可能である。また、通気構造３３の通気孔の大きさは、１ｍｍ以上１０ｍｍ以下が好適である。
【００２２】
内筒４１の上端部には、流出用開口部４６が設けられており、この流出用開口部４６を通じて、二酸化炭素吸収剤４３を通過した循環ガスが上方に流出する。なお、図３では、外筒３０に一体に形成された内筒４１を示している。
【００２３】
そして、内筒４１の上端部には、連通部４７が設けられる。連通部４７は、外筒３０及び内筒４１の間に形成される環状の隙間部４８と内側空間４２とを連通させる部分である。この例では、内筒４１の流出用開口部４６の高さＨ１を外筒３０の上端開口部３５の高さＨ２よりも低く設定する。そして、この高低差により、キャニスタ２０の大部分を二重構造５１に形成するとともにキャニスタ２０の筒軸方向の上端部を一重構造５２（外筒３０の周壁のみの構造）に形成して、連通部４７を設ける。
【００２４】
二酸化炭素吸収剤４３は、通気構造３３を介して内側空間４２に流入した循環ガスに含まれる二酸化炭素（ＣＯ２）を吸収する。二酸化炭素吸収剤４３には、複数の添加剤を含む消石灰（水酸化カルシウム（Ｃａ（ＯＨ）２））を数ｍｍ以上１ｃｍ以下前後の粒状に成形した医療用二酸化炭素収集剤などを使用することができる。
【００２５】
二酸化炭素吸収反応は、発熱反応を伴うものであるため、吸収量にもよるが、吸収容器内温度が４０℃以上に達する場合もある。水酸化カルシウム（Ｃａ（ＯＨ）２）を用いた場合、二酸化炭素吸収反応は、以下の反応式（１）で表される。
【００２６】
（化１）
ＣＯ２＋Ｃａ（ＯＨ）２→ＣａＣＯ３＋Ｈ２Ｏ（１）
【００２７】
ここで発生した水（Ｈ２Ｏ）は、水蒸気として循環ガスの流れに乗って内側空間４２内を移動する。
【００２８】
このキャニスタ２０では、二酸化炭素吸収剤４３を通過しかつ水蒸気を含んだ循環ガス（特に内筒４１の内周面付近のガス）は、連通部４７を介して内側空間４２から外筒３０の内周面に達する（矢印（１））。外筒３０の内周面に接触した循環ガスは、手術室の室温（通常、２０℃以上２５℃以下）の影響を受けて冷やされるため、含まれる水蒸気が結露・凝集する。結露・凝集した水５３は、外筒３０の内周面に沿って流下し（矢印（２））、隙間部４８の底部（鍔部３１の上方）に貯留される。
【００２９】
（実施形態の効果）
以上、説明したキャニスタ２０の効果について述べる。
キャニスタ２０によれば、外筒３０と内筒４１とが二重管を形成するため、環状の隙間部４８によって、内筒４１内の二酸化炭素吸収剤４３が室温の影響を受けにくくなる。このため、内筒４１の内側空間４２と外側の温度差が抑制され、二酸化炭素吸収剤４３において過剰な結露が生じない。
【００３０】
その結果、二酸化炭素吸収反応によって生じた水分による二酸化炭素吸収剤４３の性能劣化（二酸化炭素吸収寿命の短縮）を防止し、同時に二酸化炭素吸収剤４３の色変能力の劣化も防止することができ、結果として、二酸化炭素吸収剤４３の寿命を２０〜３０％延ばすことができる。また、過剰な水分が循環式呼吸回路１０上の他の部分で結露することも低減できる。
【００３１】
そして、水蒸気を含んだ循環ガスを外筒３０の内周面に接触させることにより、結露を促進させ、凝集した水５３を隙間部４８に貯留可能としたので、循環ガスから水蒸気をより良好に除去することができる。
【００３２】
また、従来、特に呼気の再利用を積極的に図る低流量麻酔においては、結露による循環式呼吸回路への影響を考慮し、人工鼻の使用が制限されてきた。この点、キャニスタ２０では、水５３が循環式呼吸回路１０へ移動することが大幅に低減できるので、低流量麻酔中においても人工鼻１２を好適に使用することができる。これにより、医療において経済的合理性の高い低流量麻酔の適用を拡大することができる。
【００３３】
また、透明な外筒３０及び透明な内筒４１を採用したので、二酸化炭素吸収剤４３の色変などの状態を外部から良好に視認することができ、二酸化炭素吸収剤４３の交換を適切なタイミングで行うことができる。
【００３４】
また、筒軸方向の両端部が開口した外筒３０の内側に内筒４１を設けることにより、キャニスタ２０の下方から循環ガスを流入させ、キャニスタ２０の上方へ循環ガスを流出させるようにした。これに対し、外側収容体の底部で循環ガスの流れを反転させる従来の構造では、複数のキャニスタを筒軸方向に連結して使用することは困難であった。また、キャニスタの内部構造が複雑であり、底に溜まった二酸化炭素吸収剤の破片の処理が難しかった。この点、本実施形態によれば、構造が簡素であり、しかも、複数のキャニスタ２０を筒軸方向に沿って容易に連結することができる。キャニスタ２０を複数連結して使用することにより、例えば、キャニスタ２０の１個当たりの二酸化炭素吸収剤４３の量を少なく設定できるので、二酸化炭素吸収剤４３を無駄なく使い切ることができる。
【００３５】
（第２実施形態）
次に、本発明の第２実施形態に係るキャニスタ連結体及び接合手段の第１〜第３変形例を図４、図５に基づいて説明する。なお、前述した第１実施形態と共通する要素には同じ符号を付して、重複する説明を省略することとする（後述する第３・第４実施形態についても同様）。また、以下の説明において、複数のキャニスタ２０あるいは複数の外筒３０を区別する場合、同一の符号に「Ｕ」、「Ｄ」を後続させ、まとめて称する場合は、符号のみを用いる。
【００３６】
（キャニスタ連結体６０の構成）
図４に示すように、第２実施形態に係るキャニスタ連結体６０は、筒軸方向に沿って上下に連結可能な複数（この例では、２個）のキャニスタ２０を備える。さらに、キャニスタ連結体６０は、上下に重なり合う２つの外筒３０において上段の外筒３０Ｕの下端部及び下段の外筒３０Ｄの上端部を気密に接続する接合手段６１を備える。
【００３７】
図５（ａ）に示すように、接合手段６１には、例えば、上段の外筒３０Ｕの下端部（鍔部３１）と下段の外筒３０Ｄの上端部（上端開口部３５）との間に介在される環状のシール部材を用いることができる。この場合、より高い気密性を得るため、上段の外筒３０Ｕの下端部と下段の外筒３０Ｄの上端部との境界部分を全周に亘って側方から覆う側面シール部６１ａを接合手段６１に設けることが好ましい。
【００３８】
（接合手段６１の第１変形例）
また、図５（ｂ）に示すように、上段の外筒３０Ｕ及び下段の外筒３０Ｄのうち、一方の外筒３０の内周面と他方の外筒３０の外周面との間に介在される環状のシール部材で接合手段６１を構成してもよい。この例では、上段の外筒３０Ｕの下端部に段部６２を設け、この段部６２の外周面と下段の外筒３０Ｄの内周面との間に、接合手段６１（例えば、Ｏリングなど）を介在させる。
【００３９】
（接合手段６１の第２変形例）
また、図５（ｃ）に示すように、上段の外筒３０Ｕ及び下段の外筒３０Ｄのうち、一方の外筒３０の内周面に設けられる雌ねじ部６３と、他方の外筒３０の外周面に設けられる雄ねじ部６５と、により接合手段６１を構成してもよい。この例では、上段の外筒３０Ｕの下端部に段部６２を設け、この段部６２の外周面に、下段の外筒３０Ｄ側に縮径するテーパ状の雄ねじ部６５を形成する。そして、下段の外筒３０Ｄの内周面に、上段の外筒３０Ｕ側に拡径するテーパ状の雌ねじ部６３を形成し、この雌ねじ部６３に雄ねじ部６５を噛み合わせて上段の外筒３０Ｕの下端部及び下段の外筒３０の上端部を気密に接続する。
【００４０】
（接合手段６１の第３変形例）
また、図５（ｄ）に示すように、上段の外筒３０Ｕ及び下段の外筒３０Ｄのうち、一方の外筒３０の内周面に設けられ他方の外筒３０側に拡径する第１のテーパ面６６と、他方の外筒３０の外周面に設けられ、一方の外筒３０側に縮径する第２のテーパ面６７と、により接合手段６１を構成してもよい。この例では、上段の外筒３０Ｕの下端部に段部６２を設け、この段部６２の外周面を第２のテーパ面６７とし、下段の外筒３０Ｄの内周面を第１のテーパ面６６として形成する。そして、第１のテーパ面６６に第２のテーパ面６７に嵌合させることで、上段の外筒３０Ｕの下端部及び下段の外筒３０Ｄの上端部を気密に接続する。
【００４１】
（実験例）
続いて、このキャニスタ連結体６０を用いた実験例について述べる。なお、本発明は実験例に限定されるものではない。
【００４２】
＜方法＞
キャニスタ連結体６０を備える循環式呼吸回路１０に、低流量麻酔を想定して新鮮ガス１６を流量１Ｌ／分で供給し、約５時間経過後（下段のキャニスタ２０Ｄの二酸化炭素吸収剤４３の略全てが消耗した時点）の下段のキャニスタ２０Ｄ及び上段のキャニスタ２０Ｕのそれぞれの内部の状態を調べた。
【００４３】
＜結果＞
図６に示すように、下段のキャニスタ２０Ｄにおいて、循環ガスの余剰な水分が外筒３０Ｄの内周面に結露しており、水５３が隙間部４８の底部に溜まっていた。また、内筒４１内の二酸化炭素吸収剤４３が過剰に浸漬しておらず、二酸化炭素吸収剤４３の色変化も正常でかつ明瞭であった。上段のキャニスタ２０Ｕにおいても、通過する循環ガスの余剰な水分が外筒３０Ｕの内周面にしっかりと結露としてトラップされていた。なお、臨床的には、この時点（下段のキャニスタ２０Ｄの二酸化炭素吸収剤４３が消耗した時点）で、下段のキャニスタ２０Ｄを取り外し、上段のキャニスタ２０Ｕを下側に移動して、その上に未使用の二酸化炭素吸収剤４３を入れたキャニスタ２０を載せることが好適である。
【００４４】
以上、説明した第２実施形態によれば、複数のキャニスタ２０を筒軸方向に気密に連結でき、しかも、吸収能力や色変能力の低下なく、簡素な構造で循環ガスに含まれる水蒸気を各キャニスタ２０において良好に除去することができる。また、下段のキャニスタ２０Ｄの二酸化炭素吸収剤４３が消耗した時点で下段のキャニスタ２０Ｄを取り外し、上段のキャニスタ２０Ｕを下側に移動するなどして、循環式呼吸回路１０における二酸化炭素の吸収性能を常時、一定以上に維持することができる。
【００４５】
（第３実施形態）
次に、本発明の第２実施形態に係るキャニスタ７０及び貫通部の変形例を図７、図８に基づいて説明する。
【００４６】
前述した第１実施形態においては、内筒４１の流出用開口部４６の高さＨ１を外筒３０の上端開口部３５の高さＨ２よりも低く設定することで連通部４７（図３参照）を形成したが、この他、本発明に係る連通部は、内筒４１の上端部を厚み方向に貫通する貫通部で形成してもよい。
【００４７】
例えば、図７に示すように、第３実施形態のキャニスタ７０では、内筒４１の上端部の周壁を厚み方向に貫通する貫通穴で連通部７１を形成する。この例では、内筒４１の上端部に貫通穴からなる複数（この例では、１０個）の連通部７１を周方向に略等間隔に配置する。
【００４８】
この第３実施形態に係るキャニスタ７０においても、貫通穴からなる連通部７１により、前述した第１実施形態に係る連通部４７（図３参照）と同様の作用効果を得ることができ、簡素な構造で循環ガスに含まれる水蒸気を良好に除去することができる。
【００４９】
（貫通部の変形例）
また、図８に示すように、内筒４１の上端部の周壁を厚み方向に貫通する切り欠きで連通部（貫通部）７２を形成することもできる。この例では、切り欠きからなる複数の連通部７２を内筒４１の上端部に周方向に略等間隔に配置する。この変形例においても、連通部７２により、前述した第１実施形態に係る連通部４７（図３参照）と同様の作用効果を得ることができ、簡素な構造で循環ガスに含まれる水蒸気を良好に除去することができる。
【００５０】
（第４実施形態）
次に、本発明の第４実施形態に係るキャニスタ８０及びシール部材の第１・第２変形例を図９〜図１１に基づいて説明する。
【００５１】
図９に示すように、第４実施形態に係るキャニスタ８０では、内筒４１を外筒３０の内側に着脱可能とし、かつ、内部構造４０を内筒４１及び二酸化炭素吸収剤４３からなるカートリッジ８１として構成する。この場合、カートリッジ８１の下端部（内筒４１の流入用開口部４５）にも通気構造３３で塞がれており、外筒３０の下端部には外筒３０の周壁と同じ内径の下端開口部３２が設けられている。
【００５２】
そして、内筒４１の下端部の外周面と外筒３０の下端部の内周面の間には、シール部材８２が介在される。シール部材８２は、循環ガスが隙間部４８に下方から流入することを阻止し、循環ガスを内側空間４２に導く。図９では、シール部材８２をＯリングで構成した例を示している。
【００５３】
（シール部材の第１変形例）
図１０に示すように、隙間部４８の底部に嵌合可能な断面略Ｕ字状のパッキン材でシール部材８３を構成してもよい。
【００５４】
（シール部材の第２変形例）
また、図１１に示すように、隙間部４８の底部において内筒４１の外周面と外筒３０の外周面との間をシールする複数の鍔状のフィンでシール部材８５を構成してもよい。
【００５５】
第４実施形態によれば、内筒４１及び二酸化炭素吸収剤４３からなるカートリッジ８１を、シール部材８２，８３，８５を介して外筒３０に着脱することができる。これにより、二酸化炭素吸収剤４３が消耗して交換する際、カートリッジ８１のみを交換するだけでよいため、利便性がよくコストも低く抑えることができる。また、寸法の異なる複数種のシール部材８２，８３，８５を用意しておけば、寸法の異なる各種の外筒３０にカートリッジ８１を組み付けることができ、既存の外筒３０をそのまま利用することもできる。
【００５６】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５７】
１０    循環式呼吸回路
２０    キャニスタ
２０Ｕ  キャニスタ
２０Ｄ  キャニスタ
３０    外筒
３０Ｕ  外筒
３０Ｄ  外筒
３２    下端開口部
３３    通気構造
３５    上端開口部
４０    内部構造
４１    内筒
４２    内側空間
４３    二酸化炭素吸収剤
４５    流入用開口部
４６    流出用開口部
４７    連通部
４８    隙間部
６０    キャニスタ連結体
６１    接合手段
７０    キャニスタ
７１    連通部
７２    連通部
８０    キャニスタ
８１    カートリッジ
８２    シール部材
８３    シール部材
８５    シール部材
Ｈ１    内筒の流出用開口部の高さ
Ｈ２    外筒の上端開口部の高さ
【図１】
2015228908.tif 000003
【図２】
2015228908.tif 000004
【図３】
2015228908.tif 000005
【図４】
2015228908.tif 000006
【図５】
2015228908.tif 000007
【図７】
2015228908.tif 000008
【図８】
2015228908.tif 000009
【図９】
2015228908.tif 000010
【図１０】
2015228908.tif 000011
【図１１】
2015228908.tif 000012
【図６】
2015228908.tif 000013